(57)【特許請求の範囲】
【請求項１】
家具壁体（Ｂ）および家具扉（Ｄ）に配置される胴体部（１１０）と、前記胴体部（１１０）と蝶合され、前記家具扉（Ｄ）に固定される回動板（１２０）および前記胴体部（１１０）に中間板（１４０）を介して係合され、前記家具壁体（Ｂ）に固定される固定板（１３０）を有する家具蝶番の家具扉の位置調節装置であって、
前記胴体部（１１０）に形成される長凹孔（５０）と、
前記中間板（１４０）に形成されて緩衝機能を行う弾性片（１０）と、
前記弾性片（１０）に形成される長円孔（２０）と、
前記長円孔（２０）に収容され、外周面の一方の側部に多数の係止突起（３２）が形成される回転子（３０）と、
前記長凹孔（５０）に嵌入した状態で前記回転子（３０）に脚部（４２）を介して係合されて正回転および逆回転させる偏心ボルト（４０）と、
を備え、
前記偏心ボルト（４０）の正回転および逆回転中に前記回転子（３０）が前記長円孔（２０）の内周面に係止されるか、または、前記長円孔（２０）の内周面に沿って前後進して前記家具扉（Ｄ）の位置を固定するか、または、前記家具扉（Ｄ）の位置を調節することを特徴とする家具蝶番の家具扉の位置調節装置。
【請求項２】
前記長円孔（２０）には、
前記回転子（３０）の係止突起（３２）と係合して前記胴体部（１１０）の移動を制限して前記家具扉（Ｄ）の位置をセットする多数の係合溝（２２）が形成されることを特徴とする請求項１に記載の家具蝶番の家具扉の位置調節装置。
【請求項３】
前記回転子（３０）の係止突起（３２）は、
前記長円孔（２０）の係合溝（２２）よりも多数形成されることを特徴とする請求項２に記載の家具蝶番の家具扉の位置調節装置。
【請求項４】
前記長円孔（２０）には、前記回転子（３０）の正回転および逆回転中に前記胴体部（１１０）の前進および後進を案内する移動ライン（２６）が形成されることを特徴とする請求項１に記載の家具蝶番の家具扉の位置調節装置。
【請求項５】
前記長円孔（２０）には、前記係止突起（３２）の分離空間を提供する解除隙間（２４）が形成されることを特徴とする請求項１に記載の家具蝶番の家具扉の位置調節装置。
【請求項６】
前記長凹孔（５０）は、
前記胴体部（１１０）の上面に幅方向に沿って形成されることを特徴とする請求項１に記載の家具蝶番の家具扉の位置調節装置。
【請求項７】
前記長円孔（２０）は、
前記中間板（１４０）の上面に長手方向に沿って形成されることを特徴とする請求項１に記載の家具蝶番の家具扉の位置調節装置。
【請求項８】
前記回転子（３０）には、
前記長円孔（２０）の鍔部に係止されて抜け止め手段として用いられる支持爪部（３６）が形成されることを特徴とする請求項１に記載の家具蝶番の家具扉の位置調節装置。
【発明の詳細な説明】
【技術分野】
【０００１】
本発明は、家具壁体に取り付けられて家具扉の開閉手段として用いられる家具蝶番に係り、特に、前記家具蝶番の調節機構を変更して前記家具扉の位置調節による各種の便利性および精度向上を図ることのできる家具蝶番の家具扉の位置調節装置に関する。
【背景技術】
【０００２】
一般に、家具蝶番は、たんすや流し台をはじめとする各種の家具の扉開閉手段として用いられる鉄構造物であり、この家具蝶番は、家具扉の開閉中に発生する騒音や遊動を極力抑えることはもとより、家具扉の位置セット時に発生する便利性および作業性を向上させることが何よりも重要である。
【０００３】
ここで、前記家具蝶番は、前記家具壁体に固定される固定板と、前記家具扉に固定される回動板と、を備え、特に、前記家具蝶番の胴体部にボルトまたは係止フックを介して前記固定板を係合することにより、前記胴体部の位置を変えて前記家具扉の開閉位置を調節することになる。
【０００４】
例えば、図１および図２に示すように、前記家具蝶番１００は、胴体部１１０と、前記胴体部１１０の一方の端部に蝶着されて前記家具扉Ｄに固定される回動板１２０と、前記胴体部１１０の下部側に係合されて前記家具壁体Ｂに固定される固定板１３０と、を備える。
【０００５】
また、前記胴体部１１０には、固定ボルト１３２が締め付けられる移動孔１１２および張力ボルト１３４が締め付けられる張力孔１１４がそれぞれ形成され、前記固定板１３０には、前記固定ボルト１３２が締め付けられるボルト孔１３６および前記張力ボルト１３４が締め付けられる締付孔１３８が所定の間隔を隔ててそれぞれ形成される。
【０００６】
このため、前記家具扉Ｄをセットしようとする場合、前記胴体部１１０の固定ボルト１３２をやや緩めた状態で、前記胴体部１１０を前記移動孔１１２に沿って所望の位置に移動させた状態で、前記固定ボルト１３２を再び締め付けると、前記家具扉Ｄの位置調節作業が終わる。
【０００７】
ところが、前記家具蝶番１００は、前記家具扉Ｄのセット中に、前記家具扉Ｄの自重に起因して、前記固定板１３０に前記胴体部１１０を突き当てて固定ボルト１３２を緩めたり締め付けたりする工程が非常に行われ難く、これにより、約二人分の作業要員が必要となるため作業荷重が増大される。
【０００８】
また、前記胴体部１１０の位置をセットする一連の作業工程が作業者の勘により行われ、しかも、前記移動孔１１２に沿って移動してセットして固定ボルト１３２を締め付け直す方式を採用せざるを得ないため、前記家具扉Ｄの正確なセット作業が行われ難いことはもとより、精度が下がって信頼度が低下する。
【０００９】
一方、図３に示すように、前記家具蝶番１００のセットに伴い問題を解消するために、前記胴体部１１０の移動孔１１２および張力孔１１４に代えて長凹孔１１６および案内孔１１８を形成し、前記固定ボルト１３２に代えて脚部１５２を有する偏心ボルト１５０を用いる技術が提案されている。
【００１０】
このため、前記家具扉Ｄをセットしようとする場合、前記偏心ボルト１５０を正方向または逆方向に回転させると、前記脚部１５２の偏心作用により前記胴体部１１０が前進または後進する状態であって、前記偏心ボルト１５０の回転だけでも前記家具扉Ｄの位置がセット可能である。
【００１１】
ところが、前記偏心ボルト１５０は、前記家具扉Ｄから加えられる外部荷重が制御可能な手段を備えていない状態であり、例えば、前記脚部１５２が、図４の「（ａ）および（ｅ）」に示すように、前記長凹孔１１６の両端部に配設されず、図４の「（ｂ）および（ｃ）」に示すように中間部分に配設される場合、前記家具扉Ｄに加えられる外部荷重により前記偏心ボルト１５０が止むを得ず回転され、これにより、前記家具扉Ｄの位置が頻繁に変更されてしまうという問題がある。
【００１２】
このため、前記家具蝶番１００の位置調節機構を改善して前記家具扉Ｄの位置調節による各種の便利性を増大させながらも、前記家具扉Ｄに加えられる外部荷重が制御可能な別途の手段を備えることにより、前記家具扉Ｄの位置が変更される現象を源泉的に封鎖する研究が切望されるのが現状である。
【発明の概要】
【発明が解決しようとする課題】
【００１３】
そこで、本発明は、上述した問題を解消するために案出されたものであり、前記家具蝶番の調節機構を変更して前記家具扉の位置調節による各種の便利性および精度向上を図ることのできる家具蝶番の家具扉の位置調節装置を提供するところにその目的がある。
【課題を解決するための手段】
【００１４】
上述した目的を達成するために、本発明は、胴体部と、前記胴体部の一方の端部と蝶合されて前記家具扉に固定される回動板および前記胴体部の下部側に中間板を介して係合されて家具壁体に固定される固定板を有する家具蝶番の家具扉の位置調節装置であって、前記胴体部に形成される長凹孔と、前記中間板に形成されて上下方向に緩衝機能を行う弾性片と、前記弾性片に形成される長円孔と、前記長円孔に収容され、外周面の一方の側部に多数の係止突起が形成される回転子と、前記長凹孔に嵌入した状態で前記回転子に脚部を介して係合されて正／逆回転させる偏心ボルトと、を備え、前記偏心ボルトの正回転および逆回転中に前記回転子が前記長円孔の内周面に係止されるか、または、前記長円孔の内周面に沿って前後進して前記家具扉の位置を固定するか、または、前後進させることを特徴とする。
【発明の効果】
【００１５】
本発明は、下記のような効果がある。まず、第一に、前記家具蝶番の位置調節による一連の作業中に前記長円孔および前記回転子間の相互作用によりワンタッチ式により調節されるので、前記家具蝶番が微細に調整可能になるとともに、扉位置が目視可能になる。
【００１６】
第二に、前記家具蝶番の位置調節が終わった場合、前記長円孔および前記回転子間の係合作用により前記中間板の位置が常に定位置に固定された状態でセットされるので、前記家具扉の遊動が防がれる。
【００１７】
第三に、前記家具扉に過剰な圧力が加えられても前記長円孔および前記回転子間の係合作用により前記家具扉の位置が片寄らないので、前記家具扉が常に定位置にセットされて信頼性が高まる。
【図面の簡単な説明】
【００１８】
【図１】従来の技術による家具蝶番が設置された状態を示す図である。
【図２】従来の技術による家具蝶番の分解状態を示す一実施形態である。
【図３】従来の技術による家具蝶番の分解状態を示す他の実施形態である。
【図４】（ａ）乃至（ｅ）は、図３の問題点を説明するための模式図である。
【図５】本発明による家具蝶番を示す分解斜視図である。
【図６】本発明による家具蝶番の位置調節機構を示す係合断面図である。
【図７】本発明による図６の作動過程を説明するための模式図である。
【図８】本発明による図６のセット過程を説明するための模式図である。
【発明を実施するための形態】
【００１９】
以下、添付図面の図５乃至図８に基づき、本発明の実施形態による家具蝶番の家具扉の位置調節装置について説明する。
【００２０】
本発明による家具蝶番１は、胴体部１１０と、前記胴体部１１０の一方の端部に蝶着されて家具扉Ｄに固定される回動板１２０および前記胴体部１１０の下部側に中間板１４０を介して係合されて家具壁体Ｂに固定される固定板１３０を有する家具蝶番の家具扉の位置調節装置であって、前記胴体部１１０に形成される長凹孔５０と、前記中間板１４０に形成されて上下方向に緩衝機能を行う弾性片１０と、前記弾性片１０に形成される長円孔２０と、前記長円孔２０に収容され、外周面の一方の側部に多数の係止突起３２が形成される回転子３０および前記長凹孔５０に嵌入した状態で前記回転子３０に脚部４２を介して係合されて正／逆回転させる偏心ボルト４０を備え、前記偏心ボルト４０の正回転および逆回転中に前記回転子３０が前記長円孔２０の内周面に係止されるか、または、前記長円孔２０の内周面に沿って前後進して前記家具扉Ｄの位置を固定するか、または、前記家具扉Ｄの位置を調節するようになっている。
【００２１】
まず、本発明の前記家具蝶番１は、敷衍すれば、前記長円孔２０に前記回転子３０を収容した状態で前記偏心ボルト４０の正／逆回転により前記回転子３０の位置を調節することにより、前記胴体部１１０の位置を固定するか、または、前記胴体部１１０の適正な位置を調節するところに特徴がある。
【００２２】
また、前記胴体部１１０は、前記家具蝶番１の骨格を維持するとともに全体の荷重を支持するものであり、前記家具壁体Ｂと前記家具扉Ｄとの間に配置され、前記偏心ボルト４０が締め付けられる長凹孔５０および前記張力ボルト１３４が締め付けられる張力孔１１４が所定の間隔を隔ててそれぞれ形成される。
【００２３】
このとき、前記長凹孔５０は前記胴体部１１０の幅方向に形成して前記偏心ボルト４０の回転方向を案内することが好ましい。
【００２４】
さらに、前記張力ボルト１３４および前記張力孔１１４は、前記家具蝶番１の仕様や大きさに合わせて様々な形状に形成し、特に、前記家具蝶番１に組み付けられて前記家具扉Ｄの張力調節手段として用いられたならば、形状や長さを問わずに本願の技術範囲に含まれるということはいうまでもない。
【００２５】
さらに、前記張力ボルト１３４は、前記張力孔１１４に締め付けられた状態で正回転および逆回転するものであり、その下端部に前記中間板１４０の締付孔１４５が係止される係止突起１３４−２が形成される。
【００２６】
さらに、前記偏心ボルト４０は、前記胴体部１１０の長凹孔５０に嵌入した状態で正／逆回転するものであり、前記長凹孔５０の周りをなす凹部に突き当てられる頭部４４および前記頭部４４の下面中心の片寄った個所に形成されて前記長凹孔５０に嵌入する脚部４２を備える。
【００２７】
さらに、前記回動板１２０は、前記胴体部１１０の一方の端部にヒンジ軸１２５（図１参照）を介して係合されて回動するものであり、前記家具扉Ｄに係合された状態で家具扉Ｄの開閉中に同時に回動される。
【００２８】
さらに、前記中間板１４０は、前記胴体部１１０の収容空間に滑り込んで前記胴体部１１０の前進および後進を案内するものであり、その胴体の上面に前記張力調節ボルト１３４が締め付けられる締付孔１４５が形成され、その胴体の下面に前記固定板１３０が係合される係止機構が形成される。
【００２９】
さらに、前記中間板１４０の上部面には緩衝力を提供する手段としての弾性片１０が形成され、前記弾性片１０には後述する前記回転子３０が収容される所定の大きさの長円孔２０が形成される。
【００３０】
さらに、前記弾性片１０とは、前記中間板１４０の胴体の上面を切り欠いた緩衝手段のことをいい、特に、前記弾性片１０を排除した状態で単に前記長円孔２０を形成したとしても本願の技術範囲に含まれる。
【００３１】
もちろん、前記弾性片１０は、前記中間板１４０を切り欠いて構成してもよく、前記中間板１４０に取り付けて構成してもよい。
【００３２】
加えて、前記回転子３０は、前記長円孔２０に収容された状態で前記偏心ボルト４０により前記長円孔２０に沿って回転または移動するものであり、その周面に前記長円孔２０の鍔部に係止されて回転および移動中に抜け止め手段として用いられる支持爪部３６が形成される。
【００３３】
また、前記回転子３０の外周面に前記長円孔２０の内周面に係合される多数の係止突起３２が形成される。
【００３４】
さらに、前記回転子３０に前記偏心ボルト４０の脚部４２が嵌入してリベット接合により固定される嵌合孔３４が形成される。
【００３５】
さらに、前記長円孔２０は、前記弾性片１０に長手方向に沿って略長円状に形成されるものであり、その一方の側部に前記回転子３０の固定空間を提供する所定の大きさの空間部が形成されることはもとより、その他方の側部に前記回転子３０の移動空間を提供する所定の大きさの空間部が形成される。
【００３６】
さらに、前記長円孔２０の内周面、すなわち、前記中間板１４０を基準として先端部および後端部のうちの少なくとも一方に前記係止突起３２と選択的に係合されて固定空間を提供する多数の係合溝２２が形成される。
【００３７】
さらに、前記長円孔２０の内周面、好ましくは、前記係合溝２２が形成される方向とは反対の方向に前記係止突起３２および前記係合溝２２の取り外し中に前記回転子３０の移動空間を提供する解除隙間２４が形成される。
【００３８】
さらに、前記長円孔２０の内周面の両側部、すなわち、前記係合溝２２および前記解除隙間２４の形成方向とは垂直となる方向に前記回転子３０の前後移動を案内する直線状の移動ライン２６が形成される。
【００３９】
このとき、前記回転子３０の回転中に前記係止突起３２の数を前記長円孔２０の係合溝２２のそれよりもさらに多数形成することにより、前記回転子３０の係止範囲をさらに広く形成することが好ましい。
【００４０】
また、前記固定板１３０は、前記胴体部１１０の下部側、好ましくは、前記中間板１４０の下部側に長手方向に突き当てられた状態で係止孔１３６−２および係止溝１３８−２を介してフック式により係合され、その胴体の両側部に前記家具壁体Ｂと係合される所定の大きさの羽部１３９が形成される。
【００４１】
以下、本発明による作用について説明する。まず、本発明による前記家具蝶番１を構成しようとする場合、一応、前記中間板１４０の長円孔２０に前記回転子３０を収容し、前記長凹孔５０に前記偏心ボルト４０を嵌入する過程が先行する必要がある。
【００４２】
こうすれば、前記長凹孔５０に嵌入した前記偏心ボルト４０の脚部４２が前記回転子３０の嵌合孔３４に嵌入するので、前記偏心ボルト４０により前記回転子３０が同時に回転可能になる。
【００４３】
すなわち、前記家具扉Ｄに加えられる荷重により、前記回転子３０が前記移動ライン２６に沿って移動しながら前記係合溝２２に係着されるか、または、前記解除隙間２４に位置する過程を繰り返し行う。
【００４４】
もし、図７の「（ａ）」に示すように、前記家具扉Ｄに荷重が加えられていない「自然状態」である場合、前記解除隙間２４に前記回転子３０が位置した状態であるため、前記係合溝２２および前記係止突起３２が係合されない。
【００４５】
これに対し、図７の「（ｂ）」に示すように、前記家具扉Ｄに外部荷重が加えられたり引っ張られる場合、前記回転子３０が図中の左側に移動した状態であるため、前記係合溝２２に前記係止突起３２が係合される。
【００４６】
一方、図８の「（ｂ）」に示すように、前記長円孔２０の係合溝２２および前記回転子３０の係止突起３２が係合されない場合、前記偏心ボルト４０の正回転および逆回転により家具扉Ｄの位置が調節される。
【００４７】
このとき、前記偏心ボルト４０を正回転または逆回転させる場合、前記回転子３０が前記解除隙間２４に向かってやや片寄って移動するので、前記回転子３０の回転操作が行える状態でセットされる。
【００４８】
もし、図８の「（ａ）」に示すように、前記偏心ボルト４０を反時計回り方向に回転させると、前記回転子３０が前記解除隙間２４に片寄って移動し、これと同時に、前記係合溝２２から取り外された前記回転子３０が反時計回り方向に回転する。
【００４９】
これに対し、図８の「（ｃ）」に示すように、前記偏心ボルト４０を時計回り方向に回転させると、前記回転子３０が前記解除隙間２４に片寄って移動し、これと同時に、前記係合溝２２から取り外された前記回転子３０が時計回り方向に回転する。
【００５０】
これにより、前記偏心ボルト４０の回転中に、前記長円孔２０および前記回転子３０間の係合および解除が行える。
【００５１】
このため、前記偏心ボルト４０の正回転および逆回転により前記胴体部１１０の位置が固定されるか、あるいは、前進および後進することにより、前記家具扉Ｄに外部荷重が加えられても前記偏心ボルト４０が回転せず、これにより、前記家具扉Ｄの開閉中に発生する遊動が極力抑えられる。
【符号の説明】
【００５２】
１  家具蝶番、１０  弾性片、２０  長円孔、２２  係合溝、２４  解除隙間、２６  移動ライン、３０  回転子、３２  係止突起、３４  嵌合孔、３６  支持爪部、４０  偏心ボルト、４２  脚部、４４  頭部、５０  長凹孔。
【図１】
0005848497.tif 000002
【図２】
0005848497.tif 000003
【図３】
0005848497.tif 000004
【図４（ａ）】
0005848497.tif 000005
【図４（ｂ）】
0005848497.tif 000006
【図４（ｃ）】
0005848497.tif 000007
【図４（ｄ）】
0005848497.tif 000008
【図４（ｅ）】
0005848497.tif 000009
【図５】
0005848497.tif 000010
【図６（ａ）】
0005848497.tif 000011
【図６（ｂ）】
0005848497.tif 000012
【図６（ｃ）】
0005848497.tif 000013
【図７（ａ）】
0005848497.tif 000014
【図７（ｂ）】
0005848497.tif 000015
【図８（ａ）】
0005848497.tif 000016
【図８（ｂ）】
0005848497.tif 000017
【図８（ｃ）】
0005848497.tif 000018